(57)【要約】【課題】  サッシ枠に対する締め付け力を長期間に渡って維持できるようにする。【解決手段】  本発明の日除け吊り具１は、フック部２を有する支持アーム４と、支持アーム４の基端側に固定された取付板部５と、取付板部５との間で上方開口状の溝部９が形成されるように当該取付板部５に相対向状に連結された背面板部１０と、水平方向にスライド自在となるように溝部９内に収納されたスライド部材１５と、スライド部材１５又は取付板部８に形成され、スライド部材１６を水平方向一方側へ移動させることにより、溝部９内に嵌め込まれたサッシ枠１４を背面板部１０側へ押し付けるためのカム面２３と、水平方向一方側に移動したスライド部材１５が同方向他方側に戻るのを規制するストッパー部材２５と、を備える。【選択図】図１
2012110651.tif 000002
【特許請求の範囲】
【請求項１】
日除けを吊り下げるためのフック部を有する支持アームと、
前記支持アームの基端側に固定された取付板部と、
前記取付板部との間で上方開口状の溝部が形成されるように当該取付板部に相対向状に連結された背面板部と、
水平方向にスライド自在となるように前記溝部内に収納されたスライド部材と、
前記スライド部材又は前記取付板部に形成され、前記スライド部材を水平方向一方側へ移動させることにより、前記溝部内に嵌め込まれたサッシ枠を前記背面板部側へ押し付けるためのカム面と、
水平方向一方側に移動した前記スライド部材が同方向他方側に戻るのを規制するストッパー部材と、を備えていることを特徴とする日除け吊り具。
【請求項２】
前記スライド部材における前記溝部の水平方向外側に露出する端部に前記支持アームの突出方向に延びる突出片部が形成され、前記突出片部に対向する対向片部が前記支持アーム又は前記取付板部に形成され、
前記ストッパー部材は、前記突出片部と前記対向片部の間に水平方向に架設された固定ねじよりなる請求項１に記載の日除け吊り具。
【請求項３】
前記固定ねじは、前記対向板部に螺合するねじ軸と、このねじ軸に固定されたねじ頭部とからなり、前記ねじ頭部が前記突出片部の水平方向外側に位置するように前記ねじ軸が当該突出片部を水平方向に貫通している請求項２に記載の日除け吊り具。
【発明の詳細な説明】
【技術分野】
【０００１】  本発明は、すだれ等の日除けを窓等のサッシ枠に吊り下げるのに適した日除け吊り具に関する。
【背景技術】
【０００２】  この種の日除け吊り具として、例えば特許文献１（従来例１）に記載のものが知られている。この従来例１の日除け吊り具は、日除けを吊り下げるためのフック部を有する支持アームと、この支持アームの基端側に固定された取付板部と、この取付板部との間で上方開口状の溝部が形成されるように当該取付板部に相対向状に連結された背面板部と、その溝部内に嵌め込まれたサッシ枠を背面板部に押し付けて固定するための締め付け手段と、を備えている。【０００３】  そして、上記従来例１の日除け吊り具では、締め付け手段として、取付板部に貫通状に設けた左右一対のねじ孔にそれぞれ螺合するねじ軸と、このねじ軸に固定されたねじ頭部とからなる、２つの締め付けねじが採用されていた。
上記のような締め付けねじを採用した日除け吊り具では、ねじ頭部を何回も回動しないとねじ軸をその軸心方向に移動できないので、溝部内にサッシ枠を嵌め込んだ後の締め付けねじの締め付け作業に時間と手間がかかり、このため、日除け吊り具をサッシ枠に取り付けるのが非常に面倒であるという欠点がある。【０００４】  また、前記締め付けねじを採用した日除け吊り具の場合、サッシ枠に対する固定力を有効に確保するためには、かなり大きなトルクでねじ頭部を指で回動する必要があるため、女性等の力の弱いユーザーの場合には日除け吊り具をサッシ枠に対して強固に固定できない場合があった。
そこで、本出願人は、締め付け手段が、水平方向にスライド自在となるように溝部内に収納されたスライド部材よりなる日除け吊り具を既に提案している（特許文献２：従来例２）。【０００５】  上記スライド部材には、その水平方向一方側への移動に伴って当該スライド部材を背面板部側へ移動させることにより、溝部内に嵌め込まれたサッシ枠を背面板部側へ押し付けるためのカム面が形成されている。
このため、上記従来例２の日除け吊り具によれば、スライド部材を水平方向一方側へスライドさせるという極めて簡単な操作で、日除け吊り具をサッシ枠に対して強固に取り付けることができる。
【先行技術文献】
【特許文献】
【０００６】
【特許文献１】  実用新案登録第３００４４６８兮公報
【特許文献２】  特開２００８−３０２１８９号公報
【発明の開示】
【発明が解決しようとする課題】
【０００７】  しかしながら、上記従来例２の日除け吊り具では、例えば日除けが風などで揺れて支持アームに繰り返し荷重が作用すると、いったん水平方向一方側に締め付けられたスライド部材が逆に他方側に微動してその締め付けが力が弱まることがあった。
このため、取付板部と背面板部とで形成された溝部が日除け吊り具の取付後にサッシ枠に対してガタついたり、極端な場合には、日除け吊り具が長期間経過後にサッシ枠から離脱したりする恐れがあった。【０００８】  そこで、本発明の課題は、取付枠部の溝部内に収納されたスライド部材を水平方向に移動させてサッシ枠に取り付けるタイプの日除け吊り具において、サッシ枠に対する締め付け力を長期間に渡って維持できるようにする点にある。
【課題を解決するための手段】
【０００９】  上記課題を達成するために、本発明は次の技術的手段を講じた。
すなわち、本発明は、日除けを吊り下げるためのフック部を有する支持アームと、前記支持アームの基端側に固定された取付板部と、前記取付板部との間で上方開口状の溝部が形成されるように当該取付板部に相対向状に連結された背面板部と、水平方向にスライド自在となるように前記溝部内に収納されたスライド部材と、前記スライド部材又は前記取付板部に形成され、前記スライド部材を水平方向一方側へ移動させることにより、前記溝部内に嵌め込まれたサッシ枠を前記背面板部側へ押し付けるためのカム面と、水平方向一方側に移動した前記スライド部材が同方向他方側に戻るのを規制するストッパー部材と、を備えていることを特徴とする。【００１０】  本発明によれば、スライド部材を水平方向一方側へ移動させると、カム面によってスライド部材自身が背面板部側へ移動し、溝部内に嵌め込まれているサッシ枠を背面板部側へ強固に押し付け、日除け吊り具をサッシ枠に対して取り付けることができる。【００１１】  そして、本発明によれば、水平方向一方側に移動したスライド部材が同方向他方側に戻るのをストッパー部材が規制するので、サッシ枠に取り付けた後の支持アームに繰り返し荷重が作用しても、いったん水平方向一方側に締め付けられたスライド部材が逆に他方側に微動することがない。
従って、スライド部材の締め付けが力が弱まることがなく、サッシ枠に対する締め付け力を長期間に渡って維持することができる。【００１２】  本発明において、前記スライド部材における前記溝部の水平方向外側に露出する端部に前記支持アームの突出方向に延びる突出片部が形成され、前記突出片部に対向する対向片部が前記支持アーム又は前記取付板部に形成されていることが好ましい。
この場合、前記ストッパー部材として、例えば、前記突出片部と前記対向片部の間に水平方向に架設された固定ねじにより構成することができる。このため、ストッパー部材として安価な汎用部品を採用することができ、日除け吊り具の製造コストを低減できる。【００１３】  また、本発明において、前記固定ねじは、前記対向板部に螺合するねじ軸と、このねじ軸に固定されたねじ頭部とからなり、前記ねじ頭部が前記突出片部の水平方向外側に位置するように前記ねじ軸が当該突出片部を水平方向に貫通していることが好ましい。
この場合、ねじ頭部が突出片部の水平方向外側に位置するので、ユーザが室内側に居てもねじ頭部を操作することがでる。従って、日除け吊り具を室内側からより簡単に取り付けることができるようになる。
【発明の効果】
【００１４】  本発明によれば、取付枠部の溝部内に収納されたスライド部材を水平方向に移動させてサッシ枠に取り付けるタイプの日除け吊り具において、サッシ枠に対する締め付け力を長期間に渡って維持することができる。
このため、取付後にサッシ枠から離脱する可能性が極めて少ない、サッシ枠に対する固定力が強力な日除け吊り具を得ることができる。
【図面の簡単な説明】
【００１５】
【図１】  第１実施形態に係る日除け吊り具の斜視図である。
【図２】  （ａ）は上記日除け吊り具の平面図、（ｂ）は上記日除け吊り具の左側面図である。
【図３】  （ａ）は上記日除け吊り具の吊り具本体の背面図、（ｂ）はその吊り具本体を溝部内から見た場合の背面図である。
【図４】  （ａ）は上下反転した状態のスライド部材の正面図、（ｂ）はスライド部材の底面図、（ｃ）はスライド部材の左側面図である。
【図５】  （ａ）は図４（ａ）のＡ−Ａ線断面図、（ｂ）は図４（ａ）のＢ−Ｂ線断面図である。
【図６】  （ａ）は第２実施形態に係る日除け吊り具の平面図、（ｂ）は同日除け吊り具の右側面図である。
【発明を実施するための形態】
【００１６】  以下、図面に描かれた本発明の実施形態を説明する。
＜第１実施形態＞
図１は、第１実施形態に係る日除け吊り具の斜視図である。また、図２（ａ）はその日除け吊り具の平面図であり、図２（ｂ）はその日除け吊り具の左側面図である。
なお、図２（ａ）では、スライド部材１５については断面で示してある。また、本明細書では、図２における符号Ｌ側を左側といい、符号Ｒ側を右側という。
【００１７】  図１及び図２に示すように、本実施形態の日除け吊り具１は、すだれ等よりなる日除け（図示せず）を吊り下げるためのフック部２を有する支持アーム４と、この支持アーム４の基端側に一体に形成された取付枠部５と、この取付枠部５に設けられた締め付け手段６と、締め付け手段６の緩みを防止するためのストッパー部材２５とを備えている。
このうち、支持アーム４と取付枠部５は一枚物のスレンレス鋼材を図示の形状に屈曲することにより一体に形成された「吊り具本体」を構成している。
【００１８】  この吊り具本体の支持アーム４は、先端側に向かうに従って徐々に先細りとなる細長い棒状に形成されており、幅方向両端部を下方に屈曲することによって形成された左右一対の補強リブ７を備えている。
支持アーム４の先端側には前記フック部２が屈曲形成されており、このフック部２は、その自由端がアーム基端側に向くように屈曲されている。
【００１９】  本実施形態の取付枠部５は、支持アーム４の基端側に一体に形成された、断面コの字形の枠材よりなる。この取付枠部５は、支持アーム４に対してほぼ直交した状態でその基端部に連なる取付板部８と、この取付板部８との間で上方開口状の溝部９が形成されるように当該取付板部８に対して相対向状に連結された背面板部１０とを備えている。
なお、例えば、硬質プラスチック製の支持アーム４を金属製の取付枠部５にねじ止め等することにより、両部材を別体で構成することもできる。
【００２０】  図３（ａ）は、日除け吊り具１の吊り具本体の背面図であり、図３（ｂ）は、その吊り具本体を溝部内から見た場合の背面図である。
図３（ｂ）に示すように、取付枠部５の取付板部８には、溝部９側に突出する複数（図例では合計４つ）のガイド突起１２が形成されていて、これらのガイド突起１２はいずれも突出端縁の平面形状がほぼ半円形になっている（図２参照）。
【００２１】  図例の４つのガイド突起１２は、取付板部８の左右両端部及び上下両端部の四隅に分かれて配置されている。このうち、上側の左右一対の突起１２ＬＵ，１２ＲＵは、取付板部８の上端縁部を溝部９側に向かって片持ち状に屈曲することによって形成され、下側の左右一対の突起１２ＬＤ，１２ＲＤは、取付板部８自体を溝部９側に向かって切り起こすことによって形成されている。
なお、上側の左右一対のガイド突起１２ＬＵ，１２ＲＵは同じ高さ位置で、かつ、取付板部８の中央から等距離だけ離れた左右対称位置に配置され、下側の左右一対のガイド突起１２ＬＤ，１２ＲＤについても、それと同様の配置である。
【００２２】  図３（ａ）に示すように、取付枠部５の背面板部１０には、当該背面板部１０自体を溝部９側に膨出させてなる掛止突起１３が形成されている。この掛止突起１３は、背面板部１０の内面（溝部９側の面）から突出しており、図２に示すサッシ枠１４の下端縁に形成された小リブ（アルミ合金製のサッシ枠１４の下端縁には、通常、１ｍｍ程度の小リブが形成されていることが多い。）に掛止可能である。
このため、後述するスライド部材１５の締め付け力が緩いために日除け吊り具１がサッシ枠１４から下方にずり落ちそうになっても、掛止突起１３がサッシ枠１４の小リブに引っ掛かり、取付枠部１３がサッシ枠１４から急激に脱落するのが未然に防止される。
【００２３】  前記締め付け手段６は、取付枠部５の溝部９内に嵌め込まれたサッシ枠１４を背面板部１０に押し付けて固定するためのものである。この締め付け手段６は、水平方向にスライド自在となるように取付枠部５の溝部９内に収納されたスライド部材１５よりなる。図４及び図５は、このスライド部材１５の具体的構造を示している。
このうち、図４（ａ）は上下反転した状態のスライド部材１５の正面図であり、図４（ｂ）はそのスライド部材１５の底面図であり、図４（ｃ）はそのスライド部材１５の左側面図である。また、図５（ａ）は、図４（ａ）のＡ−Ａ線断面図であり、図５（ｂ）は、図４（ａ）のＢ−Ｂ線断面図である。
【００２４】  図４に示すように、本実施形態のスライド部材１２は、取付枠部５の溝部９よりも水平方向に長い合成樹脂製の板材よりなり、横長のほぼ長方形状のスライド本体１６と、この本体１６の長手方向一端部から、支持アーム４の突出方向に延びて突設されたほぼ半円形状の突出片部１７とからなる。この突出片部１７は、スライド部材１２を水平方向一方側へスライドさせる際のつまみ部となるものである。
サッシ枠１４に対する押圧面となるスライド本体１６の背面には、滑り止め効果を向上させるための水平方向に延びる多数の滑り止め突条１８が形成されている（図４（ｃ）参照）。
【００２５】  スライド本体１６の正面（取付板部８側の面）には、前記ガイド突起１２が嵌合する、水平方向に延びるガイド溝２０が形成されている。このガイド溝２０は、前記ガイド突起１２に対応して、スライド本体１６の左右両側及び上下両側に分かれて配置されている。
このうち、上側に位置する左右一対のガイド溝２０ＬＵ，２０ＲＵは、スライド本体１６の上部側の同じ高さ位置で水平方向に延び、下側に位置する左右一対のガイド溝２０ＬＤ，２０ＲＤは、スライド本体１６の下部側の同じ高さ位置で水平方向に延びている。左上のガイド溝２０ＬＵと左下のガイド溝２０ＬＤはスライド本体１６の左端縁に繋がっており、この左端縁が、対応するガイド突起１２ＬＵ，１２ＬＤの入り口になっている。
【００２６】  一方、スライド本体１６の中央部には、右側に位置する上下のガイド突起２０ＲＵ，２０ＲＤを、これらに対応するガイド溝１２ＲＵ，１２ＲＤに導くための導入溝２１，２２が形成されている。
このうち、右上のガイド突起１２ＲＵのための第１導入溝２１は、スライド本体１６の下端縁に繋がる入り口を有する下半部２１Ａと、この下半部２１Ａから右側に延びる中間部２２Ｂと、この中間部２２Ｂから上方に延びて右上のガイド溝２０ＲＵに連通する上半部２１Ｃとからなる。
【００２７】  また、右下のガイド突起ＲＤのための第２導入溝２２は、スライド本体１６の下端縁に繋がる入り口を有し、上記第１導入溝２１の上半部２１Ｃと同じ左右方向位置に配置されている。
上記各ガイド溝１２ＲＵ，１２ＲＤ，１２ＬＵ，１２ＬＤの底面には、スライド部材１５の水平方向一方側（図例では左側）への移動に伴って当該スライド部材１５を背面板部１０側へ移動させるカム面２３が形成されている。具体的には、このカム面２３は、各ガイド溝１２の入り口部分から離れるに従って底面が徐々に底上げされる方向に傾斜した、ほぼ真っ直ぐな傾斜面よりなる。
【００２８】  上記スライド部材１５を取付枠部５の溝部９内に装着するには、まず、右上のガイド突起ＲＵを第１導入溝２１の下半部２１Ａに入れ、スライド部材１５を溝部９の上方から底側に向かって落とし込む。
次に、右上のガイド突起１２ＲＵを第１導入溝２１の中間部２１Ｂに沿って右側にスライドさせ、右上のガイド突起１２ＲＵを上半部２１Ｃのところまで持ってくる。このとき、右下のガイド突起１２ＲＤが第２導入溝２２に合致するので、スライド部材１５を更に溝部９の底側に落とし込む。。
【００２９】  その後、左上のガイド突起１２ＬＵと左下のガイド突起１２ＬＤを、それぞれ対応するガイド溝２０ＬＵ，２０ＲＵの入り口に挿入して、スライド部材１５を左側にスライドさせる。これにより、水平方向にスライド自在となるように、スライド部材１５を溝部９の内部に装着することができる。
なお、上記装着を製造者側で行い、スライド部材１５を装着した状態で商品出荷してもよいし、スライド部材１５と取付枠部５とを別体の状態で商品出荷し、その装着をユーザー側で行って貰うようにしてもよい。
【００３０】  図２に示すように、支持アーム４の補強リブ１７の基端部分は、スライド部材１５の突出片部１７と対向する対向片部２６となっており、本実施形態のストッパー部材２５は、その突出片部１７と対向片部２６の間に水平方向に架設された固定ねじ２７により構成されている。
この固定ねじ２７は、対向板部２６に螺合するねじ軸２８と、このねじ軸２８に固定されたねじ頭部２９とからなる。
【００３１】  固定ねじ２７のねじ軸２８は、突出片部１７の中央部に形成された貫通孔に右側から左側に向かって水平方向に挿通され、そのねじ軸２８の先端部が対向片部２６に貫通状態で螺合している。
従って、固定ねじ２７のねじ頭部２９は、突出片部１７の水平方向外側（図例では右外側）に位置するように当該突出片部１７を水平方向に貫通している。
【００３２】  次に、上記構成を有する日除け吊り具１の使用方法と作用を説明する。
本実施形態の日除け吊り具１をサッシ枠１４に取り付けるには、まず、固定ねじ２７を対向片部２６から取り外して、スライド部材１５を右側に引き出した状態にしておき、この状態で、取付枠部５の溝部９内にサッシ枠１４を嵌め込んで、日除け吊り具１の支持アーム４がサッシ枠１４の屋外側面（図２の左側の側面）から突出するようにセットする。
【００３３】  その後、取付片部１７を指で持ち、その指でスライド部材１５を水平方向左側に強制的に移動させる。
このとき、取付板部８側のガイド突起１２がスライド部材１５のガイド溝２０に沿って相対移動するので、ガイド突起１２の先端がガイド溝２０内のカム面２３に当接して乗り上げることにより、当該スライド部材１５が溝部９内を背面板部１０側に移動する。
このため、スライド部材１５の背面側の押圧面（滑り止め突条１８）がサッシ枠１４を背面板部１０に向かって強固に押し付け、日除け吊り具１の取付枠部５がサッシ枠１４に対して強固に取り付けられる。
【００３４】  次に、固定ねじ２７のねじ軸２８を突出片部１７の貫通孔に挿通し、そのねじ軸２８の先端部を対向片部２６に螺合させて、ねじ頭部２９をネジ締め方向に回動させることにより、スライド部材１５が緩み側である右側に戻るのを規制する。これにより、日除け吊り具１のサッシ枠１４に対する取り付けが完了する。
【００３５】  このように、本実施形態の日除け吊り具１によれば、スライド部材１５を水平方向一方側（図例では左側）に移動させることにより、日除け吊り具１をサッシ枠１４に対して強固に取り付けることができる。
また、水平方向一方側に移動したスライド部材１５が同方向他方側に戻るのを、固定ねじ２７よりなるストッパー部材２５が規制するので、サッシ枠１４に取り付けた後の支持アーム４に繰り返し荷重が作用してもスライド部材１５が他方側に微動しない。従って、スライド部材１５の締め付けが力が弱まることがなく、サッシ枠１４に対する締め付け力を長期間に渡って維持することができる。
【００３６】  また、本実施形態の日除け吊り具１によれば、固定ねじ２７のねじ頭部２８が突出片部１７の水平方向外側（図例では右外側）に位置するので、室内側に居るユーザがねじ頭部２９にアクセスし易くなっている。
従って、ユーザが室内側から固定ねじ２７を操作することができ、日除け吊り具１を室内側からでも簡単に取り付けることができる。
【００３７】  ＜第２実施形態＞
図６（ａ）は第２実施形態に係る日除け吊り具の平面図であり、図６（ｂ）は同日除け吊り具の右側面図である。
本実施形態が第１実施形態と異なる点は、固定ねじ２７の螺合部分となる対向片部２６が、取付板部８の右端縁に形成されている点にあり、その他の構成は第１実施形態の場合と同様である。
【００３８】  第２実施形態の日除け吊り具１によれば、突出片部１７と対向片部２６の間の間隔が短くなるので、固定ねじ２７のねじ軸２８を短くできるとともに、ねじ軸２８を対向片部２６のねじ孔に位置合わせし易くなるという利点がある。
【００３９】  なお、本発明は上記各実施形態に限定されるものではない。
例えば、ガイド突起１２とこれに対応するガイド溝２０の数や配置は図例のものに限定されず、少なくとも１つあればよい。もっとも、スライド部材１５に対する力点を分散させて締め付け力を強化するためには、上記実施形態のように、カム面２３に当接するガイド突起１２を四隅に分散させて配置することが好ましい。
また、ガイド溝２０を取付板部８側に形成し、ガイド突起１２をスライド部材１５側に形成してもよい。
【００４０】  更に、上記ガイド突起１２及びガイド溝２０は本発明にとって必須要素ではなく、要は、スライド部材１５の水平方向一方側への移動に伴って当該スライド部材１５を背面板部１０側へ移動させるカム面２３が、スライド部材１５又は取付板部８に設けられておればよい。
従って、カム面２３を取付板部８側に形成し、これに当接してカム作用を奏する摺動部をスライド部材１５側に形成してもよい。
【符号の説明】
【００４１】  １    日除け吊り具
２    フック部
４    支持アーム
５    取付枠部
６    締め付け手段
８    取付板部
９    溝部
１０    背面板部
１４    サッシ枠
１５    スライド部材
１７    突出片部
２０    ガイド溝
２３    カム面
２５    ストッパー部材
２６    対向片部
２７    固定ねじ
２８    ねじ軸
２９    ねじ頭部
【図１】
2012110651.tif 000003
【図２】
2012110651.tif 000004
【図３】
2012110651.tif 000005
【図４】
2012110651.tif 000006
【図５】
2012110651.tif 000007
【図６】
2012110651.tif 000008